【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
原稿を読み取る読取手段を有する画像形成装置と、前記画像形成装置と通信可能なサーバ装置と、を含む印刷システムであって、
前記画像形成装置は、
前記画像形成装置の読取手段で読み取られた前記原稿の画像を前記サーバ装置に送信する画像送信手段と、
前記画像から取得された身分証画像の裏面にかかる画像を表示する表示手段と、
前記表示手段で表示された裏面にかかる画像のマスキングする領域を指定するマスキング領域指定手段と、
前記マスキング領域指定手段で指定されたマスキングする領域を特定するためのマスキング領域情報を前記サーバ装置に送信する識別情報送信と、
前記サーバ装置から取得した印刷データの印刷を実行する印刷手段と、
を有し、
前記サーバ装置は、
前記画像形成装置から前記画像を受信する画像受信手段と、
前記画像受信手段で受信された前記画像から取得された表面にかかる画像を、前記表面にかかる画像から特定されるマスキング領域に従って、マスキングする表面マスキング実行手段と、
前記画像形成装置から前記マスキング領域情報を受信するマスキング領域情報受信手段と、
前記画像受信手段で受信された前記画像から取得された裏面にかかる画像を、前記マスキング領域情報受信手段で受信されたマスキング領域情報に従って、マスキングする裏面マスキング実行手段と、
前記表面マスキング実行手段でマスキングされた前記表面にかかる画像、及び前記裏面マスキング実行手段でマスキングされた前記裏面にかかる画像と合成するためのフォームデータを取得するデータ取得手段と、
前記データ取得手段で取得されたフォームデータに前記マスキングされた表面にかかる画像、及び前記マスキングされた裏面にかかる画像を配置して合成データを生成する生成手段と、
前記生成手段で生成された前記合成データを前記画像形成装置で印刷すべく印刷指示する印刷指示手段と、
を有することを特徴とする印刷システム。
【請求項２】
前記画像形成装置は、
前記原稿の片面読み取り、又は両面読み取りの設定を含む読取面設定をする読取面設定手段を更に有し、
前記表示手段は、前記読取面設定手段で両面読み取りの設定を含む読取面設定がされた場合に前記裏面にかかる画像を表示することを特徴とする請求項１に記載の印刷システム。
【請求項３】
前記サーバ装置は、
前記画像受信手段で受信された前記画像から身分証画像を取得する身分証画像取得手段と、
前記身分証画像取得手段で取得した身分証画像の裏面にかかる画像を前記画像形成装置へ送信する身分証画像送信手段と
を更に有し、
前記表示手段は、前記サーバ装置から受信した身分証画像の裏面にかかる画像を表示することを特徴とする請求項１又は２に記載の印刷システム。
【請求項４】
前記サーバ装置は、
前記身分証画像が表面にかかる画像であるか、表面にかかる画像であるかを判定する表裏判定手段を更に有し、
前記身分証画像送信手段は、前記判定手段で裏面にかかる画像であると判定された場合に、前記裏面にかかる画像を前記画像形成装置へ送信することを特徴とする請求項３に記載の印刷システム。
【請求項５】
前記サーバ装置は、
前記フォームデータに前記マスキングされた表面にかかる画像、及び前記マスキングされた裏面にかかる画像を配置するための位置情報を取得する位置情報取得手段を更に有し、
前記生成手段は、前記位置情報に従って合成データを生成することを特徴とする請求項２に記載の印刷システム。
【請求項６】
前記画像形成装置は、
前記読取面設定手段で設定された片面読み取り、又は両面読み取りの設定を含む読取面設定を送信する読取面設定送信手段と、
を更に有し、
前記サーバ装置は、
前記片面読み取り、又は両面読み取りの設定を含む読取面設定を受信する読取面設定受信手段を更に有し、
前記位置情報取得手段は、前記読取面設定に従って位置情報を取得することを特徴とする請求項５に記載の印刷システム。
【請求項７】
前記画像形成装置は、
前記読取面設定手段で原稿の両面読み取りの設定を含む読取面設定をした場合、前記原稿の表面を読み取る指示を表示する表面読取指示表示手段と、
前記表面読取指示表示手段に従って前記原稿が読み取られた場合、前記原稿の裏面を読み取る指示を表示する裏面読取指示表示手段と、
を更に有することを特徴とする請求項２に記載の印刷システム。
【請求項８】
前記読取面設定手段で設定する読取面設定は、読み取る原稿の種別の設定を含み、
前記読み取る原稿の種別が裏面を有する身分証である場合に、前記生成手段は、前記フォームデータに前記マスキングされた表面にかかる画像、及び前記マスキングされた裏面にかかる画像を配置して合成データを生成することを特徴とする請求項２又は７に記載の印刷システム。
【請求項９】
原稿を読み取る読取手段と、前記読取手段で読み取られた前記原稿の画像をサーバ装置に送信する画像送信手段と、前記画像から取得された身分証画像の裏面にかかる画像を表示する表示手段と、前記表示手段で表示された裏面にかかる画像のマスキングする領域を指定するマスキング領域指定手段と、前記マスキング領域指定手段で指定されたマスキングする領域を特定するためのマスキング領域情報を前記サーバ装置に送信する識別情報送信と、前記サーバ装置から取得した印刷データの印刷を実行する印刷手段とを有する画像形成装置と、通信可能なサーバ装置であって、
前記画像形成装置から前記画像を受信する画像受信手段と、
前記画像受信手段で受信された前記画像から取得された表面にかかる画像を、前記表面にかかる画像から特定されるマスキング領域に従って、マスキングする表面マスキング実行手段と、
前記画像形成装置から前記マスキング領域情報を受信するマスキング領域情報受信手段と、
前記画像受信手段で受信された前記画像から取得された裏面にかかる画像を、前記マスキング領域情報受信手段で受信されたマスキング領域情報に従って、マスキングする裏面マスキング実行手段と、
前記表面マスキング実行手段でマスキングされた前記表面にかかる画像、及び前記裏面マスキング実行手段でマスキングされた前記裏面にかかる画像と合成するためのフォームデータを取得するデータ取得手段と、
前記データ取得手段で取得されたフォームデータに前記マスキングされた表面にかかる画像、及び前記マスキングされた裏面にかかる画像を配置して合成データを生成する生成手段と、
前記生成手段で生成された前記合成データを前記画像形成装置で印刷すべく印刷指示する印刷指示手段と、
を有することを特徴とするサーバ装置。
【請求項１０】
画像形成装置から画像を受信する画像受信手段と、前記画像受信手段で受信された前記画像から取得された表面にかかる画像を、前記表面にかかる画像から特定されるマスキング領域に従って、マスキングする表面マスキング実行手段と、前記画像形成装置からマスキングする領域を特定するためのマスキング領域情報を受信するマスキング領域情報受信手段と、前記画像受信手段で受信された前記画像から取得された裏面にかかる画像を、前記マスキング領域情報受信手段で受信されたマスキング領域情報に従って、マスキングする裏面マスキング実行手段と、前記表面マスキング実行手段でマスキングされた前記表面にかかる画像、及び前記裏面マスキング実行手段でマスキングされた前記裏面にかかる画像と合成するためのフォームデータを取得するデータ取得手段と、前記データ取得手段で取得されたフォームデータに前記マスキングされた表面にかかる画像、及び前記マスキングされた裏面にかかる画像を配置して合成データを生成する生成手段と、前記生成手段で生成された前記合成データを前記画像形成装置で印刷すべく印刷指示する印刷指示手段を有するサーバ装置と、通信可能な画像形成装置であって、
前記画像形成装置の読取手段で読み取られた原稿の画像を前記サーバ装置に送信する画像送信手段と、
前記画像から取得された身分証画像の裏面にかかる画像を表示する表示手段と、
前記表示手段で表示された裏面にかかる画像のマスキングする領域を指定するマスキング領域指定手段と、
前記マスキング領域指定手段で指定されたマスキングする領域を特定するためのマスキング領域情報を前記サーバ装置に送信する識別情報送信と、
前記サーバ装置から取得した印刷データの印刷を実行する印刷手段と、
を有することを特徴とする画像形成装置。
【請求項１１】
原稿を読み取る読取手段を有する画像形成装置と、前記画像形成装置と通信可能なサーバ装置と、を含む印刷システムにおける印刷方法であって、
前記画像形成装置が、
前記画像形成装置の読取手段で読み取られた前記原稿の画像を前記サーバ装置に送信する画像送信ステップと、
前記画像から取得された身分証画像の裏面にかかる画像を表示する表示ステップと、
前記表示ステップで表示された裏面にかかる画像のマスキングする領域を指定するマスキング領域指定ステップと、
前記マスキング領域指定ステップで指定されたマスキングする領域を特定するためのマスキング領域情報を前記サーバ装置に送信する識別情報送信と、
前記サーバ装置から取得した印刷データの印刷を実行する印刷ステップと、
を実行し、
前記サーバ装置が、
前記画像形成装置から前記画像を受信する画像受信ステップと、
前記画像受信ステップで受信された前記画像から取得された表面にかかる画像を、前記表面にかかる画像から特定されるマスキング領域に従って、マスキングする表面マスキング実行ステップと、
前記画像形成装置から前記マスキング領域情報を受信するマスキング領域情報受信ステップと、
前記画像受信ステップで受信された前記画像から取得された裏面にかかる画像を、前記マスキング領域情報受信ステップで受信されたマスキング領域情報に従って、マスキングする裏面マスキング実行ステップと、
前記表面マスキング実行ステップでマスキングされた前記表面にかかる画像、及び前記裏面マスキング実行ステップでマスキングされた前記裏面にかかる画像と合成するためのフォームデータを取得するデータ取得ステップと、
前記データ取得ステップで取得されたフォームデータに前記マスキングされた表面にかかる画像、及び前記マスキングされた裏面にかかる画像を配置して合成データを生成する生成ステップと、
前記生成ステップで生成された前記合成データを前記画像形成装置で印刷すべく印刷指示する印刷指示ステップと、
を実行することを特徴とする印刷方法。
【請求項１２】
原稿を読み取る読取手段と、前記読取手段で読み取られた前記原稿の画像をサーバ装置に送信する画像送信手段と、前記画像から取得された身分証画像の裏面にかかる画像を表示する表示手段と、前記表示手段で表示された裏面にかかる画像のマスキングする領域を指定するマスキング領域指定手段と、前記マスキング領域指定手段で指定されたマスキングする領域を特定するためのマスキング領域情報を前記サーバ装置に送信する識別情報送信と、前記サーバ装置から取得した印刷データの印刷を実行する印刷手段とを有する画像形成装置と、通信可能なサーバ装置の印刷方法であって、
前記サーバ装置が、
前記画像形成装置から前記画像を受信する画像受信ステップと、
前記画像受信ステップで受信された前記画像から取得された表面にかかる画像を、前記表面にかかる画像から特定されるマスキング領域に従って、マスキングする表面マスキング実行ステップと、
前記画像形成装置から前記マスキング領域情報を受信するマスキング領域情報受信ステップと、
前記画像受信ステップで受信された前記画像から取得された裏面にかかる画像を、前記マスキング領域情報受信ステップで受信されたマスキング領域情報に従って、マスキングする裏面マスキング実行ステップと、
前記表面マスキング実行ステップでマスキングされた前記表面にかかる画像、及び前記裏面マスキング実行ステップでマスキングされた前記裏面にかかる画像と合成するためのフォームデータを取得するデータ取得ステップと、
前記データ取得ステップで取得されたフォームデータに前記マスキングされた表面にかかる画像、及び前記マスキングされた裏面にかかる画像を配置して合成データを生成する生成ステップと、
前記生成ステップで生成された前記合成データを前記画像形成装置で印刷すべく印刷指示する印刷指示ステップと、
を実行することを特徴とする印刷方法。
【請求項１３】
画像形成装置から画像を受信する画像受信手段と、前記画像受信手段で受信された前記画像から取得された表面にかかる画像を、前記表面にかかる画像から特定されるマスキング領域に従って、マスキングする表面マスキング実行手段と、前記画像形成装置からマスキングする領域を特定するためのマスキング領域情報を受信するマスキング領域情報受信手段と、前記画像受信手段で受信された前記画像から取得された裏面にかかる画像を、前記マスキング領域情報受信手段で受信されたマスキング領域情報に従って、マスキングする裏面マスキング実行手段と、前記表面マスキング実行手段でマスキングされた前記表面にかかる画像、及び前記裏面マスキング実行手段でマスキングされた前記裏面にかかる画像と合成するためのフォームデータを取得するデータ取得手段と、前記データ取得手段で取得されたフォームデータに前記マスキングされた表面にかかる画像、及び前記マスキングされた裏面にかかる画像を配置して合成データを生成する生成手段と、前記生成手段で生成された前記合成データを前記画像形成装置で印刷すべく印刷指示する印刷指示手段を有するサーバ装置と、通信可能な画像形成装置の印刷方法であって、
前記画像形成装置が、
前記画像形成装置の読取手段で読み取られた原稿の画像を前記サーバ装置に送信する画像送信ステップと、
前記画像から取得された身分証画像の裏面にかかる画像を表示する表示ステップと、
前記表示ステップで表示された裏面にかかる画像のマスキングする領域を指定するマスキング領域指定ステップと、
前記マスキング領域指定ステップで指定されたマスキングする領域を特定するためのマスキング領域情報を前記サーバ装置に送信する識別情報送信ステップと、
前記サーバ装置から取得した印刷データの印刷を実行する印刷ステップと、
を実行することを特徴とする印刷方法。
【請求項１４】
原稿を読み取る読取手段を有する画像形成装置と、前記画像形成装置と通信可能なサーバ装置と、を含む印刷システムで実行可能なプログラムであって、
前記画像形成装置を、
前記画像形成装置の読取手段で読み取られた前記原稿の画像を前記サーバ装置に送信する画像送信手段と、
前記画像から取得された身分証画像の裏面にかかる画像を表示する表示手段と、
前記表示手段で表示された裏面にかかる画像のマスキングする領域を指定するマスキング領域指定手段と、
前記マスキング領域指定手段で指定されたマスキングする領域を特定するためのマスキング領域情報を前記サーバ装置に送信する識別情報送信と、
前記サーバ装置から取得した印刷データの印刷を実行する印刷手段と、
して機能させ、
前記サーバ装置を、
前記画像形成装置から前記画像を受信する画像受信手段と、
前記画像受信手段で受信された前記画像から取得された表面にかかる画像を、前記表面にかかる画像から特定されるマスキング領域に従って、マスキングする表面マスキング実行手段と、
前記画像形成装置から前記マスキング領域情報を受信するマスキング領域情報受信手段と、
前記画像受信手段で受信された前記画像から取得された裏面にかかる画像を、前記マスキング領域情報受信手段で受信されたマスキング領域情報に従って、マスキングする裏面マスキング実行手段と、
前記表面マスキング実行手段でマスキングされた前記表面にかかる画像、及び前記裏面マスキング実行手段でマスキングされた前記裏面にかかる画像と合成するためのフォームデータを取得するデータ取得手段と、
前記データ取得手段で取得されたフォームデータに前記マスキングされた表面にかかる画像、及び前記マスキングされた裏面にかかる画像を配置して合成データを生成する生成手段と、
前記生成手段で生成された前記合成データを前記画像形成装置で印刷すべく印刷指示する印刷指示手段と、
して機能させることを特徴とするプログラム。
【請求項１５】
原稿を読み取る読取手段と、読取手段で読み取られた前記原稿の画像をサーバ装置に送信する画像送信手段と、前記画像から取得された身分証画像の裏面にかかる画像を表示する表示手段と、前記表示手段で表示された裏面にかかる画像のマスキングする領域を指定するマスキング領域指定手段と、前記マスキング領域指定手段で指定されたマスキングする領域を特定するためのマスキング領域情報を前記サーバ装置に送信する識別情報送信と、前記サーバ装置から取得した印刷データの印刷を実行する印刷手段とを有する画像形成装置と、通信可能なサーバ装置で実行可能なプログラムであって、
前記サーバ装置を、
前記画像形成装置から前記画像を受信する画像受信手段と、
前記画像受信手段で受信された前記画像から取得された表面にかかる画像を、前記表面にかかる画像から特定されるマスキング領域に従って、マスキングする表面マスキング実行手段と、
前記画像形成装置から前記マスキング領域情報を受信するマスキング領域情報受信手段と、
前記画像受信手段で受信された前記画像から取得された裏面にかかる画像を、前記マスキング領域情報受信手段で受信されたマスキング領域情報に従って、マスキングする裏面マスキング実行手段と、
前記表面マスキング実行手段でマスキングされた前記表面にかかる画像、及び前記裏面マスキング実行手段でマスキングされた前記裏面にかかる画像と合成するためのフォームデータを取得するデータ取得手段と、
前記データ取得手段で取得されたフォームデータに前記マスキングされた表面にかかる画像、及び前記マスキングされた裏面にかかる画像を配置して合成データを生成する生成手段と、
前記生成手段で生成された前記合成データを前記画像形成装置で印刷すべく印刷指示する印刷指示手段と、
して機能させることを特徴とするプログラム。
【請求項１６】
画像形成装置から画像を受信する画像受信手段と、前記画像受信手段で受信された前記画像から取得された表面にかかる画像を、前記表面にかかる画像から特定されるマスキング領域に従って、マスキングする表面マスキング実行手段と、前記画像形成装置からマスキングする領域を特定するためのマスキング領域情報を受信するマスキング領域情報受信手段と、前記画像受信手段で受信された前記画像から取得された裏面にかかる画像を、前記マスキング領域情報受信手段で受信されたマスキング領域情報に従って、マスキングする裏面マスキング実行手段と、前記表面マスキング実行手段でマスキングされた前記表面にかかる画像、及び前記裏面マスキング実行手段でマスキングされた前記裏面にかかる画像と合成するためのフォームデータを取得するデータ取得手段と、前記データ取得手段で取得されたフォームデータに前記マスキングされた表面にかかる画像、及び前記マスキングされた裏面にかかる画像を配置して合成データを生成する生成手段と、前記生成手段で生成された前記合成データを前記画像形成装置で印刷すべく印刷指示する印刷指示手段を有するサーバ装置と、通信可能な画像形成装置で実行可能なプログラムであって、
前記画像形成装置を、
前記画像形成装置の読取手段で読み取られた原稿の画像を前記サーバ装置に送信する画像送信手段と、
前記画像から取得された身分証画像の裏面にかかる画像を表示する表示手段と、
前記表示手段で表示された裏面にかかる画像のマスキングする領域を指定するマスキング領域指定手段と、
前記マスキング領域指定手段で指定されたマスキングする領域を特定するためのマスキング領域情報を前記サーバ装置に送信する識別情報送信と、
前記サーバ装置から取得した印刷データの印刷を実行する印刷手段と、
して機能させることを特徴とするプログラム。
【手続補正２】
【補正対象書類名】明細書
【補正対象項目名】０００６
【補正方法】変更
【補正の内容】
【０００６】
本発明の目的は、読み込んだ原稿の身分証画像の裏面にかかる画像をデバイス側に表示させ、身分証画像の裏面にかかる画像でマスキングする領域を指定させることで、身分証画像で必要な領域にマスキングがなされた、個人情報の取扱に係るセキュリティを保持した印刷物を容易に得ることである。
【手続補正３】
【補正対象書類名】明細書
【補正対象項目名】０００７
【補正方法】変更
【補正の内容】
【０００７】
そこで、本発明は、原稿を読み取る読取手段を有する画像形成装置と、前記画像形成装置と通信可能なサーバ装置と、を含む印刷システムであって、前記画像形成装置は、前記画像形成装置の読取手段で読み取られた前記原稿の画像を前記サーバ装置に送信する画像送信手段と、前記画像から取得された身分証画像の裏面にかかる画像を表示する表示手段と、前記表示手段で表示された裏面にかかる画像のマスキングする領域を指定するマスキング領域指定手段と、前記マスキング領域指定手段で指定されたマスキングする領域を特定するためのマスキング領域情報を前記サーバ装置に送信する識別情報送信と、前記サーバ装置から取得した印刷データの印刷を実行する印刷手段と、を有し、前記サーバ装置は、前記画像形成装置から前記画像を受信する画像受信手段と、前記画像受信手段で受信された前記画像から取得された表面にかかる画像を、前記表面にかかる画像から特定されるマスキング領域に従って、マスキングする表面マスキング実行手段と、前記画像形成装置から前記マスキング領域情報を受信するマスキング領域情報受信手段と、前記画像受信手段で受信された前記画像から取得された裏面にかかる画像を、前記マスキング領域情報受信手段で受信されたマスキング領域情報に従って、マスキングする裏面マスキング実行手段と、前記表面マスキング実行手段でマスキングされた前記表面にかかる画像、及び前記裏面マスキング実行手段でマスキングされた前記裏面にかかる画像と合成するためのフォームデータを取得するデータ取得手段と、前記データ取得手段で取得されたフォームデータに前記マスキングされた表面にかかる画像、及び前記マスキングされた裏面にかかる画像を配置して合成データを生成する生成手段と、前記生成手段で生成された前記合成データを前記画像形成装置で印刷すべく印刷指示する印刷指示手段と、を有することを特徴とする。
【手続補正４】
【補正対象書類名】明細書
【補正対象項目名】０００８
【補正方法】変更
【補正の内容】
【０００８】
また、本発明は、原稿を読み取る読取手段と、前記読取手段で読み取られた前記原稿の画像をサーバ装置に送信する画像送信手段と、前記画像から取得された身分証画像の裏面にかかる画像を表示する表示手段と、前記表示手段で表示された裏面にかかる画像のマスキングする領域を指定するマスキング領域指定手段と、前記マスキング領域指定手段で指定されたマスキングする領域を特定するためのマスキング領域情報を前記サーバ装置に送信する識別情報送信と、前記サーバ装置から取得した印刷データの印刷を実行する印刷手段とを有する画像形成装置と、通信可能なサーバ装置であって、前記画像形成装置から前記画像を受信する画像受信手段と、前記画像受信手段で受信された前記画像から取得された表面にかかる画像を、前記表面にかかる画像から特定されるマスキング領域に従って、マスキングする表面マスキング実行手段と、前記画像形成装置から前記マスキング領域情報を受信するマスキング領域情報受信手段と、前記画像受信手段で受信された前記画像から取得された裏面にかかる画像を、前記マスキング領域情報受信手段で受信されたマスキング領域情報に従って、マスキングする裏面マスキング実行手段と、前記表面マスキング実行手段でマスキングされた前記表面にかかる画像、及び前記裏面マスキング実行手段でマスキングされた前記裏面にかかる画像と合成するためのフォームデータを取得するデータ取得手段と、前記データ取得手段で取得されたフォームデータに前記マスキングされた表面にかかる画像、及び前記マスキングされた裏面にかかる画像を配置して合成データを生成する生成手段と、前記生成手段で生成された前記合成データを前記画像形成装置で印刷すべく印刷指示する印刷指示手段と、を有することを特徴とする。
【手続補正５】
【補正対象書類名】明細書
【補正対象項目名】０００９
【補正方法】変更
【補正の内容】
【０００９】
また、本発明は、画像形成装置から画像を受信する画像受信手段と、前記画像受信手段で受信された前記画像から取得された表面にかかる画像を、前記表面にかかる画像から特定されるマスキング領域に従って、マスキングする表面マスキング実行手段と、前記画像形成装置からマスキングする領域を特定するためのマスキング領域情報を受信するマスキング領域情報受信手段と、前記画像受信手段で受信された前記画像から取得された裏面にかかる画像を、前記マスキング領域情報受信手段で受信されたマスキング領域情報に従って、マスキングする裏面マスキング実行手段と、前記表面マスキング実行手段でマスキングされた前記表面にかかる画像、及び前記裏面マスキング実行手段でマスキングされた前記裏面にかかる画像と合成するためのフォームデータを取得するデータ取得手段と、前記データ取得手段で取得されたフォームデータに前記マスキングされた表面にかかる画像、及び前記マスキングされた裏面にかかる画像を配置して合成データを生成する生成手段と、前記生成手段で生成された前記合成データを前記画像形成装置で印刷すべく印刷指示する印刷指示手段を有するサーバ装置と、通信可能な画像形成装置であって、前記画像形成装置の読取手段で読み取られた原稿の画像を前記サーバ装置に送信する画像送信手段と、前記画像から取得された身分証画像の裏面にかかる画像を表示する表示手段と、前記表示手段で表示された裏面にかかる画像のマスキングする領域を指定するマスキング領域指定手段と、前記マスキング領域指定手段で指定されたマスキングする領域を特定するためのマスキング領域情報を前記サーバ装置に送信する識別情報送信と、前記サーバ装置から取得した印刷データの印刷を実行する印刷手段と、を有することを特徴とする。
【手続補正６】
【補正対象書類名】明細書
【補正対象項目名】００１０
【補正方法】変更
【補正の内容】
【００１０】
また、本発明は、原稿を読み取る読取手段を有する画像形成装置と、前記画像形成装置と通信可能なサーバ装置と、を含む印刷システムにおける印刷方法であって、前記画像形成装置が、前記画像形成装置の読取手段で読み取られた前記原稿の画像を前記サーバ装置に送信する画像送信ステップと、前記画像から取得された身分証画像の裏面にかかる画像を表示する表示ステップと、前記表示ステップで表示された裏面にかかる画像のマスキングする領域を指定するマスキング領域指定ステップと、前記マスキング領域指定ステップで指定されたマスキングする領域を特定するためのマスキング領域情報を前記サーバ装置に送信する識別情報送信と、前記サーバ装置から取得した印刷データの印刷を実行する印刷ステップと、を実行し、前記サーバ装置が、前記画像形成装置から前記画像を受信する画像受信ステップと、前記画像受信ステップで受信された前記画像から取得された表面にかかる画像を、前記表面にかかる画像から特定されるマスキング領域に従って、マスキングする表面マスキング実行ステップと、前記画像形成装置からマスキングする領域を特定するためのマスキング領域情報を受信するマスキング領域情報受信ステップと、前記画像受信ステップで受信された前記画像から取得された裏面にかかる画像を、前記マスキング領域情報受信ステップで受信されたマスキング領域情報に従って、マスキングする裏面マスキング実行ステップと、前記表面マスキング実行ステップでマスキングされた前記表面にかかる画像、及び前記裏面マスキング実行ステップでマスキングされた前記裏面にかかる画像と合成するためのフォームデータを取得するデータ取得ステップと、前記データ取得ステップで取得されたフォームデータに前記マスキングされた表面にかかる画像、及び前記マスキングされた裏面にかかる画像を配置して合成データを生成する生成ステップと、前記生成ステップで生成された前記合成データを前記画像形成装置で印刷すべく印刷指示する印刷指示ステップと、を実行することを特徴とする。
【手続補正７】
【補正対象書類名】明細書
【補正対象項目名】００１１
【補正方法】変更
【補正の内容】
【００１１】
また、本発明は、原稿を読み取る読取手段と、前記読取手段で読み取られた前記原稿の画像を前記サーバ装置に送信する画像送信手段と、前記画像から取得された身分証画像の裏面にかかる画像を表示する表示手段と、前記表示手段で表示された裏面にかかる画像のマスキングする領域を指定するマスキング領域指定手段と、前記マスキング領域指定手段で指定されたマスキングする領域を特定するためのマスキング領域情報を前記サーバ装置に送信する識別情報送信と、前記サーバ装置から取得した印刷データの印刷を実行する印刷手段とを有する画像形成装置と、通信可能なサーバ装置の印刷方法であって、前記サーバ装置が、前記画像形成装置から前記画像を受信する画像受信ステップと、前記画像受信ステップで受信された前記画像から取得された表面にかかる画像を、前記表面にかかる画像から特定されるマスキング領域に従って、マスキングする表面マスキング実行ステップと、前記画像形成装置から前記マスキング領域情報を受信するマスキング領域情報受信ステップと、前記画像受信ステップで受信された前記画像から取得された裏面にかかる画像を、前記マスキング領域情報受信ステップで受信されたマスキング領域情報に従って、マスキングする裏面マスキング実行ステップと、前記表面マスキング実行ステップでマスキングされた前記表面にかかる画像、及び前記裏面マスキング実行ステップでマスキングされた前記裏面にかかる画像と合成するためのフォームデータを取得するデータ取得ステップと、前記データ取得ステップで取得されたフォームデータに前記マスキングされた表面にかかる画像、及び前記マスキングされた裏面にかかる画像を配置して合成データを生成する生成ステップと、前記生成ステップで生成された前記合成データを前記画像形成装置で印刷すべく印刷指示する印刷指示ステップと、を実行することを特徴とする。
【手続補正８】
【補正対象書類名】明細書
【補正対象項目名】００１２
【補正方法】変更
【補正の内容】
【００１２】
また、本発明は、画像形成装置から画像を受信する画像受信手段と、前記画像受信手段で受信された前記画像から取得された表面にかかる画像を、前記表面にかかる画像から特定されるマスキング領域に従って、マスキングする表面マスキング実行手段と、前記画像形成装置からマスキングする領域を特定するためのマスキング領域情報を受信するマスキング領域情報受信手段と、前記画像受信手段で受信された前記画像から取得された裏面にかかる画像を、前記マスキング領域情報受信手段で受信されたマスキング領域情報に従って、マスキングする裏面マスキング実行手段と、前記表面マスキング実行手段でマスキングされた前記表面にかかる画像、及び前記裏面マスキング実行手段でマスキングされた前記裏面にかかる画像と合成するためのフォームデータを取得するデータ取得手段と、前記データ取得手段で取得されたフォームデータに前記マスキングされた表面にかかる画像、及び前記マスキングされた裏面にかかる画像を配置して合成データを生成する生成手段と、前記生成手段で生成された前記合成データを前記画像形成装置で印刷すべく印刷指示する印刷指示手段を有するサーバ装置と、通信可能な画像形成装置の印刷方法であって、前記画像形成装置が、前記画像形成装置の読取手段で読み取られた原稿の画像を前記サーバ装置に送信する画像送信ステップと、前記画像から取得された身分証画像の裏面にかかる画像を表示する表示ステップと、前記表示ステップで表示された裏面にかかる画像のマスキングする領域を指定するマスキング領域指定ステップと、前記マスキング領域指定ステップで指定されたマスキングする領域を特定するためのマスキング領域情報を前記サーバ装置に送信する識別情報送信ステップと、前記サーバ装置から取得した印刷データの印刷を実行する印刷ステップと、を実行することを特徴とする。
【手続補正９】
【補正対象書類名】明細書
【補正対象項目名】００１４
【補正方法】変更
【補正の内容】
【００１４】
本発明によれば、読み込んだ原稿の身分証画像の裏面にかかる画像をデバイス側に表示させ、身分証画像の裏面にかかる画像でマスキングする領域を指定させることで、身分証画像で必要な領域にマスキングがなされた、個人情報の取扱に係るセキュリティを保持した印刷物を容易に得ることができる。